(57)【要約】【課題】台風などの強風により屋根が剥離しないように容易且つ迅速に補強し、屋根を保護し得る屋根の補強ネットを提供する。【解決手段】ワイヤーで亀甲状に編網されたネット１の左右両端部にパイプ２，２を取付けて屋根の上面に被せるようにし、パイプの前端部と後端部をワイヤー若しくはロープで引張ってアンカーで止着するように構成された屋根の補強ネットであり、亀甲状に編網されたネット１のワイヤーはポリエステル系合成樹脂製のワイヤーで、亀甲状に編網されたネット１の左右両端部のワイヤー端部をパイプ２，２に巻き付けるように曲げて端部の網目に挿通し、ワイヤー端を結び付けることによりパイプ２，２を取付ける。【選択図】図１
0003110518.tif 000002
【実用新案登録請求の範囲】
【請求項１】
ワイヤーで亀甲状に編網されたネットの左右両端部にパイプを取付けて屋根の上面に被せるようにすると共に、パイプの前端部と後端部をワイヤー若しくはロープで引張ってアンカーで止着するように構成されてなることを特徴とする屋根の補強ネット。
【請求項２】
亀甲状に編網されたネットの前後両端部の網目に、ワイヤー若しくはパイプが挿通されて、ネットの左右両端部に取付けられたパイプの前端部と後端部に接続されていることを特徴とする請求項１記載の屋根の補強ネット。
【請求項３】
ネットの左右両端部に取付けられたパイプは、亀甲状に編網されたネットのワイヤー端部をパイプに巻き付けるように曲げて端部の網目に挿通し、ワイヤー端が結び付けられていることにより取付けられていることを特徴とする屋根の補強ネット。
【請求項４】
亀甲状に編網されたネットのワイヤーは、ポリエステル系合成繊維製のワイヤーであることを特徴とする請求項１乃至請求項３のいずれか１項に記載の屋根の補強ネット。
【考案の詳細な説明】
【技術分野】
【０００１】
本考案は、台風などの強風により屋根が剥離しないように容易且つ迅速に補強し、屋根を保護し得る屋根の補強ネットに関するものである。
【背景技術】
【０００２】
カーポートなどのように合成樹脂板等で葺設された建築物の屋根は、経年変化により劣化したりして強度が低下し、台風などの強風にさらされると剥離して屋根が破損するといった事例が多く見受けられる。
【０００３】
台風などの強風に対する防風ネット（網）は、高地や山間のスキー場に設置されたリフトが強風にさらされるのを防止するため張設されるもの（例えば特許文献１）や、果実等の落下を防止するために張設されるもの（例えば特許文献２）が開示されている。
【０００４】
又、特許文献３には、屋根の棟に沿って長手方向に配置され所定の固定具を介して棟木などの屋根下地に固定される芯材と、該芯材に一体に取り付けられた棟土内に埋設される補強ネットと、前記棟土の周囲に積み上げられた棟瓦を芯材に緊結する銅線等の緊結部材とからなる棟瓦補強具、それを用いた棟瓦構造及び棟瓦補強方法からなるものが開示されている。
【特許文献１】実開平５−３０２１４号公報
【特許文献２】特開２００１−６９８６１号公報
【特許文献３】特開平９−２３５８３１号公報
【考案の開示】
【考案が解決しようとする課題】
【０００５】
しかしながら、上記特許文献１，特許文献２に記載される技術は、高地や山間のスキー場に設置されたリフトが強風にさらされるのを防止するためのものであったり、果実等の落下を防止するためのものであったりして、カーポートなどの合成樹脂等で葺設された建築物の屋根を補強するようにしたものではなく、又特許文献３に記載される技術は、棟瓦を補強して耐震性、耐風性を向上させるようにしたものであり、屋根への着脱が容易でなく適用できない問題点を有している。
【課題を解決するための手段】
【０００６】
本考案は、カーポートなどの合成樹脂板等で葺設された建築物の屋根を容易且つ迅速に補強して台風などの強風により屋根が剥離しないように迅速に対応し得る屋根の補強ネットを提供しようとするものであり、その解決手段は以下に記載するとおりである。
すなわち、
（１）ワイヤーで亀甲状に編網されたネットの左右両端部にパイプを取付けて屋根の上面に被せるようにすると共に、パイプの前端部と後端部をワイヤー若しくはロープで引張ってアンカーで止着するように構成されてなることを特徴とする。
（２）前記亀甲状に編網されたネットの前後両端部の網目に、ワイヤー若しくはパイプが挿通されて、ネットの左右両端部に取付けられたパイプの前端部と後端部に接続されていることを特徴とする。
（３）前記ネットの左右両端部に取付けられたパイプは、亀甲状に編網されたネットのワイヤー端部をパイプに巻き付けるように曲げて端部の網目に挿通し、ワイヤー端が結び付けられていることにより取付けられていることを特徴とする。
（４）前記亀甲状に編網されたネットのワイヤーは、ポリエステル系合成繊維製のワイヤーであることを特徴とする。
【考案の効果】
【０００７】
上記手段にて記載したように、本考案はワイヤーで亀甲状に編網されたネットの左右両端部にパイプを取付けて屋根の上面に被せるようにすると共に、パイプの前端部と後端部をワイヤー若しくはロープで引張ってアンカーで止着するように構成されたものであるから、合成樹脂板等で葺設された強度の弱い屋根を容易且つ迅速に補強できて、台風などの強風に対し屋根が保護されると共に、使用しない時は取り外して元の状態に戻すことが容易である。
【０００８】
又、前記亀甲状に編網されたネットの前後両端部の網目に、ワイヤー若しくはパイプを挿通して、ネットの左右両端部に取付けられたパイプの前端部と後端部に接続することにより、屋根の四方がしっかりと押えられて補強度が増すと共に、亀甲状に編網されたネットのワイヤー端部をパイプに巻き付けるように曲げて端部の網目に挿通し、ワイヤー端が結び付けられてパイプを取付けることにより、ネットが引張られても解けることなく強固に屋根を押さえることができる。
【０００９】
更に、亀甲状に編網されたネットのワイヤーを、ポリエステル系合成繊維製にすることにより、金属製に較べ軽くて屋根への取付け施工がやりやすく、且つ錆びたりせず、繰返し長期間使用しても強度が低下しにくい。
【考案を実施するための最良の形態】
【００１０】
本考案を実施するための最良の形態は、ワイヤーで亀甲状に編網されたネットの左右両端部にパイプを取付けて屋根の上面に被せるようにすると共に、パイプの前端部と後端部をワイヤー若しくはロープで引張ってアンカーで止着するように構成された屋根の補強ネットである。以下実施例にて図面に基づき説明する。
【実施例１】
【００１１】
図１は、本考案に係る屋根の補強ネットの実施例を示す斜視図でり、図示するようにワイヤーで亀甲状に編網されたネット１の左右両端部にパイプ２，２を取付けて屋根の上面に被せるようにすると共に、パイプ２，２の前端部と後端部はワイヤー（又はロープ）３，３，３，３で引張ってアンカー４，４，４，４のフック部４ａ，４ａ，４ａ，４ａに引掛けて止着するように構成されている。
【００１２】
ネット１は、ポリエステル系合成繊維製のワイヤーで、図２に示すように亀甲状の網目１ａ，…、１ｂ，…、１ｃ，…のように編網されたもので市販されており、屋根（被補強屋根）に合わせてカットしたり、網目を解いたりする。ワイヤーの線径（直径）はおおむね２．５〜４ｍｍで、網目１ａ，…、１ｂ，…、１ｃ，…の大きさ（ピッチ）はおおむね３５〜５０ｍｍである。このように亀甲状に編網したネットは全方向に対して強い強度を有する。
【００１３】
前記ポリエステル系合成繊維製のワイヤーは、耐屈曲性が良く強度もあり、金属製のワイヤーに較べ、軽くて錆びなく、またカッター等でカットしやすいため、屋根への取付け施工がやりやすいが、本考案はこれに限定するものではない。
【００１４】
パイプ２は、金属製のパイプ又は剛性のある合成樹脂製パイプのいずれでも良く、腐食性の金属製パイプは防錆処理するか、或いは防錆処理した金属製パイプを使用してネット１の左右両端部に取付けられ、図２に示すようにネット１のワイヤー端部をパイプ２に巻き付けるように曲げて端部の網目１ｂ，…に通し、ワイヤー端１ｄ，…が結び付けられていることにより取付けられ、ネット１に引張力がかかっても解けることなくしっかりとネット１はパイプ２により支持される。
【００１５】
或いは、ネット１の左右両端部にパイプ２，２を取付けるのに図示していないがネット１の左右両端部をパイプに巻き付けるように曲げた状態で針金等で巻いて取付けたり、ネット１の左右両端部を左右両屋根縁に曲げて引掛けるようにしても良い。
【００１６】
前記ネット１の左右両端部に取付けられたパイプ２，２の前端部と後端部には、図２に示すように中空のパイプ穴を封止して雨水の浸入の防止及び角部の目隠しをするためのキャップ２ａが装着され、ワイヤー（又はロープ）３の一端が取付けられて引張るようにしてあり、ワイヤー（又はロープ）３を引張ることにより、亀甲状のネット１が屋根の上面に密着する。
【００１７】
図２の（ａ），（ｂ）に示す実施態様は、ネット１の左右両端部に取付けたパイプ２の一部分を示すもので、図２の（ａ）はネット１の左右両端部のみが引張られる実施態様であり、図２の（ｂ）はネット１の左右両端部の外に、前端部と後端部にワイヤー（又はロープ）３ａが網目１ｃ，…に挿通され、パイプ２に結び付けて接続することにより、ネット１の前端部と後端部も押えるようにした実施態様である。図２の（ｂ）のようにすることにより屋根の左右前後が押えられ、より強固に保護されるが、取付けに手間を要する欠点もあり、通常は図２の（ａ）に示す実施態様を採り、台風などの強風の強さの程度によりネット１の前後も押えるという実施態様を採る。
なお、前記ワイヤー３ａの代りに図示していないがパイプ等を網目１ｃ，…に挿通し、パイプ２に接続金具等で接続しても良い。
【００１８】
図３は、以上のようにしてなる屋根の補強ネットを、アクリル樹脂板等で葺設したカーポート屋根に取付け施工した例を示すものである。
【００１９】
四箇所の柱で支持された略円弧状の屋根（被補強屋根）５の上面に合わせてネット１が被せてあり、ネット１の左右両端部に取付けられたパイプ２，２の前端部、後端部をワイヤー（又はロープ）３，３，…で引張り、該ワイヤー（又はロープ）の下端部が、地面６に打込み固定されたアンカー４，４，…のフック部４ａ，４ａ，…に引掛けられて支持されている。
【００２０】
そして、上記の如くネット１を屋根５の上面に被せるようにしてネット１の左右両端部に取付けられたパイプ２，２の前端部と後端部をワイヤー（又はロープ）３で引張ることによりネット１が屋根５の上面に密着して補強され、台風などの強風を受けても屋根５は剥離することなく保護される。
【００２１】
又、ネット１の前端部と後端部の網目にワイヤー又はパイプを挿通しパイプ２，２に接続し、屋根５の前端部と後端部をネット１により押えるようにすれば、より強固に屋根５は補強されるが必要不可欠のものではない。
【００２２】
上記屋根の補強ネットを取り外すには、ワイヤー（又はロープ）３，３，…の下端部をアンカー４，４，…のフック部４ａ，４ａ，…から外すことにより容易に取り外され、カーポートの屋根５は元の状態になる。
【産業上の利用可能性】
【００２３】
本考案は、合成樹脂板等で葺設されたカーポート等の屋根の補強に限らず、農作物栽培用の温室ハウスやスレート等で葺設された一般的な建物の屋根の補強、保護にも利用できる。
【図面の簡単な説明】
【００２４】
【図１】本考案の実施例を示す斜視図である。
【図２】ネットの左右両端部へのパイプ取付け実施例を示す要部斜視図である。
【図３】略円弧状のカーポート屋根に取付け施工した例を示す斜視図である。
【符号の説明】
【００２５】
１  ネット
１ａ，１ｂ，１ｃ  網目
１ｄ  ワイヤー端
２  パイプ
２ａ  キャップ
３  ワイヤー（又はロープ）
４  アンカー
４ａ  フック部
５  屋根（被補強屋根）
６  地面
【図１】
0003110518.tif 000003
【図２】
0003110518.tif 000004
【図３】
0003110518.tif 000005